(57)【要約】【課題】簡易な構成で、電源投入時等において定常状態よりも大きな電流が瞬間的に流れることによるヒューズの溶断を防止することのできる配電回路を提供する。【解決手段】電源投入時には、過大な交流が瞬間的に電源回路２から供給される。この交流は、第２線路６を通じて流れる、つまりコンデンサＣ１が充電されるため、ヒューズＦ１が溶断されない。一方、異常時には、過大な直流が長時間発生する。この直流は、第１線路８を通じて流れるため、ヒューズＦ１が溶断される。【選択図】図１
2008301629.tif 000002
【特許請求の範囲】
【請求項１】
ヒューズを備えた配電回路において、
前記ヒューズを含む第１線路と並列の第２線路に容量成分を設け、
前記容量成分は、２個の直列接続されたコンデンサであり、
前記第１線路は、前記ヒューズおよびインピーダンス成分を含む、配電回路。
【請求項２】
ヒューズを備えた配電回路において、
前記ヒューズを含む第１線路と並列の第２線路に容量成分を設けた、配電回路。
【請求項３】
前記容量成分は、１個のコンデンサである、請求項２記載の配電回路。
【請求項４】
前記容量成分は、２個の直列接続されたコンデンサである、請求項２記載の配電回路。
【請求項５】
前記第１線路は、前記ヒューズおよびインピーダンス成分を含む、請求項２記載の配電回路。
【発明の詳細な説明】
【技術分野】
【０００１】
本発明は、配電回路に関し、特に、ヒューズを備えた配電回路に関する。
【背景技術】
【０００２】
配電回路には、通常ヒューズが設けられ、配電回路に異常が発生して、過大な電流が発生した場合でも、ヒューズが溶断することにより、事故を防止することができる。
【０００３】
ところで、電動機やトランスなどを使った巻き線機器、大容量の平滑コンデンサを持つ機器、または白熱電灯などでは、電源投入時や負荷の変動時において、定常状態よりもはるかに大きな電流が瞬間的に流れることがあるが、このような場合には、回路の異常ではないため、ヒューズを溶断してはならない。このような場合のヒューズの溶断を防止する技術が、たとえば特許文献１〜３に開示されている。
【０００４】
特許文献１には、自動車駆動用メインバッテリと、該メインバッテリの直流電流を交流電流に変換して自動車駆動用モータに供給するインバータと、インバータと自動車駆動用メインバッテリの間にあって自動車駆動用メインバッテリからの供給電源をＯＮ／ＯＦＦするものであって抵抗と第１のリレーとの直列接続回路と第２のリレーとを並列に接続してなる接点回路とを備え、接点回路のインバータ接続側にインバータと並列にリレーを介してコントローラを接続するようにした電気自動車配電回路が開示されている。この電気自動車配電回路では、メインバッテリから複数の負荷に電源を供給する場合、各負荷の入力コンデンサへ充電するときに、電源投入時の過大な突入電力によってヒューズを溶断することなく、簡単な構成で安定してメインバッテリの電源を配電することができる。
【０００５】
特許文献２には、直流電圧が印加される端子間に接続された抵抗、ダイオードおよび第１のコンデンサの直列回路と、直流電圧が印加されるＤＣ−ＤＣコンバータ部間に接続され、第１のコンデンサに得られる電圧がゲートに印加されるＦＥＴ素子と、ＤＣ−ＤＣコンバータ部から得られるリセット電圧を分圧し、ＦＥＴ素子のゲートに与える分圧抵抗と、ＦＥＴ素子のドレインとゲートの間に設けられた第２のコンデンサとよりなる突入制限回路が開示されている。この突入制限回路回路では、第２のコンデンサのミラー効果によって、ＦＥＴ素子のオン抵抗の急激な変化が緩和されて、二次突入電流のピークが小さくなり、ヒューズの溶断を防止できる。
【０００６】
特許文献３では、入力端子から電源切断スイッチおよびヒューズを介して入力した交流電流を整流して出力端子に直流の出力する電源回路と、電源切断スイッチとヒューズとの間に挿入した電源保護回路と、電源回路の出力を検出してから所定の時間遅延して動作する継電器とを備え、電源保護回路は抵抗とコイルとを直列接続し且つ継電器のメーク接点をこの抵抗に並列接続するような突入電流防止回路が開示されている。この突入電流防止回路では、電源保護回路を制御する継電器が、電源回路の出力を検出してから所定時間遅延して動作するので、突入電流による電源回路過大電流保護用のヒューズの溶断を防止することができる。
【特許文献１】特開平７−６７２１４号公報
【特許文献２】実開平２−４１６３２号公報
【特許文献３】実開平２−４１６３３号公報
【発明の開示】
【発明が解決しようとする課題】
【０００７】
しかしながら、特許文献１〜３に記載の回路は、その構成が複雑であるとともに、定常状態よりもはるかに大きな電流が瞬間的に流れた場合のヒューズの溶断防止が十分に行なわれるとはいえない。
【０００８】
それゆえに、本発明の目的は、簡易な構成で、電源投入時等において定常状態よりも大きな電流が瞬間的に流れることによるヒューズの溶断を防止することのできる配電回路を提供することである。
【課題を解決するための手段】
【０００９】
上記課題を解決するために、本発明は、ヒューズを備えた配電回路において、ヒューズを含む第１線路と並列の第２線路に容量成分を設け、容量成分は、２個の直列接続されたコンデンサであり、第１線路は、ヒューズおよびインピーダンス成分を含む。
【００１０】
また、本発明は、ヒューズを備えた配電回路において、ヒューズを含む第１線路と並列の第２線路に容量成分を設ける。
【００１１】
好ましくは、容量成分は、１個のコンデンサである。
好ましくは、容量成分は、２個の直列接続されたコンデンサである。
【００１２】
好ましくは、第１線路は、ヒューズおよびインピーダンス成分を含む。
【発明の効果】
【００１３】
本発明の配電回路によれば、簡易な構成で、電源投入時等において定常状態よりも大きな電流が瞬間的に流れることによるヒューズの溶断を防止することができる。
【発明を実施するための最良の形態】
【００１４】
以下、本発明に係る実施の形態について図面を参照して説明する。
［第１の実施形態］
図１は、第１の実施形態の配電回路を表わす図である。
【００１５】
図１を参照して、この配電回路１０は、電源回路２と負荷４との間に、並列接続された第１線路８および第２線路６を含む。第１線路８は、ヒューズＦ１、およびインピーダンス成分である抵抗Ｒ１を含む。インピーダンス成分は、ラインインピーダンスであってもよい。
【００１６】
第２線路６は、容量成分であるコンデンサＣ１を含む。
電源投入時には、過大な交流が瞬間的に電源回路２から供給される。この交流は、第２線路６を通じて流れる、つまりコンデンサＣ１が充電されるため、ヒューズＦ１が溶断されない。一方、異常時には、過大な直流が長時間発生する。この直流は、第１線路８を通じて流れるため、ヒューズＦ１が溶断される。
【００１７】
図２は、電源投入時に発生する交流Ｉを表わす図である。
図２を参照して、電源投入時に、瞬間的に、最大値１０Ａの交流Ｉが発生する。ヒューズＦ１は流れる電流が１Ａ以上で溶断されるが、第２線路６にコンデンサＣ１を設けることで、第１線路８に交流Ｉが流れるのを防止することができる。
【００１８】
以上のように、第１の実施形態の配電回路によれば、簡易な構成で、電源投入時等において定常状態よりも大きな電流が瞬間的に流れることによるヒューズの溶断を防止することができる。
【００１９】
［第２の実施形態］
図３は、第２の実施形態の配電回路を表わす図である。
【００２０】
図３を参照して、この配電回路２０は、電源回路２と負荷４との間に、並列接続された第１線路８および第２線路１６を含む。第１線路８は、ヒューズＦ１、およびインピーダンス成分である抵抗Ｒ１を含む。インピーダンス成分は、ラインインピーダンスであってもよい。
【００２１】
第２線路１６は、直列接続されたコンデンサＣ２およびコンデンサＣ３を含む。
第２の実施形態でも、第１の実施形態と同様に、電源投入時には、過大な交流が瞬間的に電源回路２から供給されるが、この交流は、第２線路１６を通じて流れるため、ヒューズＦ１が溶断されない。一方、異常時には、過大な直流が長時間発生し、この直流は、第１線路８を通じて流れるため、ヒューズＦ１が溶断される。
【００２２】
また、第２の実施形態では、第２線路１６のコンデンサＣ２およびコンデンサＣ３の一方が故障している場合にも、電源投入時の過大な交流は、故障していない方のコンデンサを充電するため、ヒューズＦ１が溶断されることはない。
【００２３】
以上のように、第２の実施形態の配電回路によれば、第１の実施形態と同様に、簡易な構成で、電源投入時等において定常状態よりも大きな電流が瞬間的に流れることによるヒューズの溶断を防止することができる。また、第２の実施形態の配電回路によれば、第２線路に２つのコンデンサを設けたので、一方が故障したときでも、上記のヒューズの溶断防止機能を維持できる。
【００２４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２５】
【図１】第１の実施形態の配電回路を表わす図である。
【図２】電源投入時に発生する交流Ｉを表わす図である。
【図３】第２の実施形態の配電回路を表わす図である。
【符号の説明】
【００２６】
２  電源回路、４  負荷、６，１６  第２線路、８  第１線路、１０，２０  配電回路、Ｆ１  ヒューズ、Ｒ１  抵抗、Ｃ１，Ｃ２，Ｃ３  コンデンサ。
【図１】
2008301629.tif 000003
【図２】
2008301629.tif 000004
【図３】
2008301629.tif 000005